(57)【要約】      （修正有）【課題】園芸用花木の茎や枝、トランクや手荷物等、取り付ける部分の太さが予め決められていない部分に取り付ける事ができ、容易に商品に装着できるようにするとともに、ラベルを取り除いた後、商品や物品に粘着剤が残らないようにするラベルを提供する。【解決手段】ラベル裏面を複数の領域に分割し、一枚のラベルに粘着力の異なる粘着剤を組み合わせて配す。ラベル裏面の２ａの領域には微粘着剤を配し、４ｂの領域には強粘着剤を配して、棒状の取り付け部分に装着する。４ｂの強粘着剤の接着位置を変更する事により、商品や物品の取り付ける部分の太さに対応する。【選択図】図４
0003183879.tif 000002
【実用新案登録請求の範囲】
【請求項１】
裏面が複数の領域に分割され、それら各領域のうちの少なくとも２つの領域の表面に粘着力の異なる粘着剤が配されているラベル。
【考案の詳細な説明】
【技術分野】
【０００１】  本考案は、商品名や価格等の商品情報を印刷または手書きをし、商品や物品に装着する用途や包装用掛紙などとして使用される。
【背景技術】
【０００２】従来のタグ用ラベルは、特許文献１や特許文献２のように取り付ける商品や物品によりラベルのサイズ・粘着面の大きさを商品や物品ごとに個別に計画する必要がある。【０００３】従来のタグ用ラベルは、特許文献１や特許文献２のように一対のラベル主体の裏面同士を粘着剤により粘着させる方法を取る為、接着面がずれるとラベル裏面の粘着剤がはみ出しベタベタするので商品への取り付け作業に時間がかかる。【０００４】従来のタグ用ラベルを製造する為の原材料となる部分糊をひいた原紙は、原紙メーカーから大量のロットを求められたり、長期間の納期を求められたりして、短納期対応、小ロット対応が難しい。また印刷工程での糊殺し処理という方法もあるが、部分糊をひいた原紙と同様、その部分が剥離紙と粘着していない為、粘着部分の面積を小さくすると印刷工程でラベルが剥離紙から剥がれる現象が出現し粘着部分の面積を小さくする事が困難である。
【先行技術文献】
【特許文献】
【０００５】
【特許文献１】特開平９−１６０８７号公報
【特許文献２】特開平１１−３１１９４８号公報
【考案の概要】
【考案が解決しようとする課題】
【０００６】従来のタグ用ラベルは商品や物品に装着する部分の大きさが予め設計され決められている為、例えば太さの異なる花木の茎や枝、飛行場におけるトランクや手荷物など、それぞれ固有の大きさ・太さを持つ商品に装着できる汎用性がない。そこで、この考案は、タグ用ラベルを貼る商品や荷物の取り付け部分の太さに応じて装着できる事を可能にし、貼り付け位置の固定が可能なラベルを提供することを課題とする。また、このタグ用ラベルの仕上げ形状は、商品の名称・価格、トランクや手荷物の名前などを効率よく手書きできるよう、ロール形状、一丁カット形状だけではなく、複数枚をシート状で提供し利便性を向上させる事を課題とする。【０００７】本考案のラベルの粘着層の粘着剤の組み合わせ構成を変更する事で、タグ用ラベル以外の用途として円柱形状や円錐形状の物品にも簡単にラベル装着できるようにする事や包装用掛紙として利用する事を課題とする。
【課題を解決するための手段】
【０００８】本考案に係わるラベルは、裏面が複数の領域に分割され、それら各領域のうちの少なくとも２つの領域の表面に粘着力の異なる粘着剤が配されている事を特徴とする。【０００９】上記技術的手段は次のように作用する。本考案のラベル製造中は、ラベルの裏面全面を剥離紙に粘着させる。使用時においては、ラベル裏面の強い粘着力を持つ粘着剤部分が、ラベルを装着する物品または、ラベルの表面及び裏面に粘着することにより、ラベルが商品や物品に装着する。
【考案の効果】
【００１０】この考案のラベルを、タグ用ラベルとして使用する場合、従来の裏面に粘着層を持つ一対のラベル表示部と裏面に粘着層を持たない連結片部の形状と限定する必要はなくなる。その結果、強い粘着剤が配されている一片が微粘着剤が配されているもう一方の形状の幅より小さい先細りの形状にする事が可能になる。そうする事で、もう一片の微粘着剤が配されている裏面のどこにでも簡単に貼り付ける事ができ、貼り損ないがなく作業効率が格段に良くなる。【００１１】またこの考案のタグ用ラベルは、裏面粘着部分を、微粘着剤と強い粘着剤とを組み合わせることにより、強い粘着剤部分の面積が僅かであっても、剥離紙に粘着している為、従来からある部分的に粘着部分を作った部分糊ラベルや糊殺しラベルのように、粘着部分の面積が狭い事による印刷加工中にラベルが剥離紙から剥がれる事故がない。その為、この考案のラベルは、例えば粘着剤の面積が狭い包装用掛紙として印刷し使用できる。【００１２】以前から酒ビン・お茶缶・化粧品容器・木材などの円柱形の部分に、ラベルを一周巻きつけて貼りたいという要求があったが、従来のラベルは裏面の糊の強さが均一な為、ラベルの貼り始めの一片と貼り終りの一片を綺麗に重ね貼りする事が困難で熟練を要していたが、本考案のラベルは、裏面粘着部分を、粘着力の異なる複数の粘着剤で構成することにより簡単に輪の形状に巻きつけて貼る事ができる。
【図面の簡単な説明】
【００１３】
【図１】本考案の一実施形態のラベルの平面図。
【図２】図１のＸ−Ｘ断面図。
【図３】本考案実施形態のラベルの製造工程を示す説明図。
【図４】本考案実施形態のラベルの使用状態を示す説明図。
【図５】本考案実施形態のラベルの使用状態を示す説明図。
【図６】本考案実施形態のラベルの使用状態を示す説明図。
【考案を実施するための最良の形態】
【実施例１】
【００１４】この考案に係わるラベルで、図４の使用状態を示すタグ用ラベルとして実施する形態を説明する。図１は、ラベルの平面図であるが、このように一般的な長方形で実現可能で、従来のタグ用ラベルの一対の表示部分とその連結部分で構成するリボン形のように特別な形状を必要としない。図２は、図１Ｘ−Ｘの断面図である。上からラベルの表面紙（５）、強粘着剤層（４）、微粘着剤が塗布されている紙（３）、微粘着剤層（２）ラベルの剥離紙（１）の５層構造である。微粘着剤が剥離紙に粘着する一方で、剥離紙から外すと粘着剤がベタベタしない性質に着目して、１枚のラベル裏面の粘着剤の強さを複数で構成する。【００１５】このようなラベルを製造する製造方法の概略について、図３に基づいて説明する。一番初めの工程で、微粘着剤層を持つ原紙Ａの表面に切り込みを入れる処理をして強粘着剤をラベル裏面に表出させる部分の表面紙と微粘着剤層を外す。次の工程で原紙Ａの表面に強粘着剤層を持つ原紙Ｂを貼りこむ作業をしながら、同時に原紙Ｂの剥離紙を外す作業をする。次の工程Ｃでこのタグ用ラベルの表面となる原紙Ｂに印刷をして、最終工程Ｄで不要な原紙Ａと原紙Ｂの表面紙と粘着剤を抜いて外す処理をして原紙Ａの剥離紙の上に粘着力の違う粘着剤層を持つラベルを形成する。【００１６】図４は、この考案に係わるラベルでラベルの裏面粘着層を２つの領域に分割する例である。商品の棒状部分にラベルをタグとして装着した図であるが、剥離紙から剥がしたラベル裏面の微粘着剤（２ａ）部分に強粘着剤（４ｂ）部分を粘着させて固定している。商品の棒状部分に装着されるラベルの筒状部分は、ラベルを外した時には商品に粘着剤が残らない。
【実施例２】
【００１７】この考案に係わるラベルで、図５で示す円柱の商品に貼るラベルについて説明する。このラベルは、裏面粘着層を３つの領域に分割する例を示す。ラベルの貼り始めの部分に強粘着剤ｃ、ラベル途中を弱粘着剤ｄ、ラベルの貼り終わり止める部分に強粘着剤ｃで構成すると貼る途中で、ラベルを平行になるよう微調整しながら円柱状の商品に巻きつける事ができるので簡単に綺麗に貼り付けることが出来る。また従来から円柱の商品には一周ラベルを装着して重ね貼りすることが困難であったが、このように粘着力の異なる粘着剤を組み合わせる事により可能になる。
【実施例３】
【００１８】この考案に係わるラベルで、図６で示す円錐の商品、例えばボトルの肩に貼るラベルについて説明する。このラベルは、図１のように裏面粘着層をラベル裏面の微粘着剤（２ａ）部分と強粘着剤（４ｂ）部分で構成する。ラベルの強粘着剤（４ｂ）を、ラベルの表に張ることでラベルの形状を立体的に変形させることが可能となり、ラベルを販売促進媒体として立体的に商品に装着させる事が簡単にできる。
【符号の説明】
【００１７】ａ      微粘着剤が配されている範囲
ｂ      強粘着剤が配されている範囲
２ａ    ラベル裏面微粘着剤部分
４ｂ    ラベル裏面強粘着剤部分
ｃ      ラベル裏面に強粘着剤が配されている範囲
ｄ      ラベル裏面に弱粘着剤が配されている範囲
ｅ      ラベル裏面に強粘着剤が配されている範囲
ｆ      ラベル表面
１      ラベルの剥離紙
２      微粘着剤が配されているラベルの粘着層
３      微粘着剤が塗布されている紙
４      強粘着剤が配されているラベルの粘着層
５      ラベルの表面紙
Ａ      原紙Ａ（裏面に微粘着の粘着剤を持つタック紙）
Ｂ      原紙Ｂ（裏面に強粘着の粘着剤を持つタック紙）
Ｃ      印刷工程
Ｄ      抜き工程
【図１】
0003183879.tif 000003
【図２】
0003183879.tif 000004
【図３】
0003183879.tif 000005
【図４】
0003183879.tif 000006
【図５】
0003183879.tif 000007
【図６】
0003183879.tif 000008